(57)【要約】【課題】フラット式電子装置に使用する、体積が小さく且つ携帯に便利な多機能を備えた支持スタンドを提供すること。【解決手段】本発明に係る支持スタンドは、フラット式電子装置を支持するために用いられる。前記支持スタンドは、２つの第一支持ケース、２つの第二支持ケース及び伸縮可能な１つの連接手段を備え、前記連接手段の一端は、それぞれ２つの前記第一支持ケース及び２つの前記第二支持ケースに連接され、前記連接手段を延長させて、２つの前記第一支持ケース及び２つの前記第二支持ケースを互いに離間させ、且つ前記第一支持ケース及び前記第二支持ケースを前記フラット式電子装置の異なる部位に係合させることによって、前記フラット式電子装置を支持する。【選択図】図４
2012191179.tif 000002
【特許請求の範囲】
【請求項１】
フラット式電子装置を支持するための支持スタンドであって、前記支持スタンドは、２つの第一支持ケース、２つの第二支持ケース及び伸縮可能な１つの連接手段を備え、前記連接手段の一端は、それぞれ２つの前記第一支持ケース及び２つの前記第二支持ケースに連接され、
前記連接手段を延長させて、２つの前記第一支持ケース及び２つの前記第二支持ケースを互いに離間させ、且つ前記第一支持ケース及び前記第二支持ケースを前記フラット式電子装置の異なる部位に係合させることによって、前記フラット式電子装置を支持することを特徴とする支持スタンド。
【請求項２】
前記連接手段は、４つの引張り線及び１つの線捲箱を備え、各引張り線の一端は前記線捲箱内に固定され、他端は前記第一支持ケース或いは前記第二支持ケースに固定され、これにより、前記引張り線が引っ張られると、２つの前記第一支持ケース及び２つの前記第二支持ケースが互いに離間されることを特徴とする請求項１に記載の支持スタンド。
【請求項３】
前記引張り線は、前記線捲箱内に収縮されることができ、２つの前記第一支持ケース及び２つの前記第二支持ケースは、前記引張り線の収縮により一体に組み立てられ、且つ前記線捲箱を収納するための収容空間を形成することを特徴とする請求項２に記載の支持スタンド。
【請求項４】
前記線捲箱の内部には、前記引張り線を巻き取るための巻取り装置が設けられ、前記線捲箱の上面には、前記巻取り装置の線巻取り動作を起動し或いは解除するための押しボタンが設けられ、２つの前記第一支持ケースの底板と２つの前記第二支持ケースの底板とが組み立てられて、取り囲むことで、前記収容空間に連通する開口が形成され、前記押しボタンは前記開口に対応して設けられることを特徴とする請求項３に記載の支持スタンド。
【請求項５】
前記線捲箱の内部には、引締め装置が設けられ、前記引張り線の一端は、前記引締め装置に固定されることを特徴とする請求項２から４のいずれか一項に記載の支持スタンド。
【請求項６】
各第一支持ケース及び各第二支持ケースは、それぞれ包囲部材を含み、且つ各第一支持ケースには、前記包囲部材に回転可能に連接される支持部材が設けられ、前記支持部材を回転することにより前記フラット式電子装置を支持することを特徴とする請求項２から５のいずれか一項に記載の支持スタンド。
【請求項７】
前記支持部材は、第一回転部及び第二回転部を備え、各包囲部材の底板には、収容開口が設けられ、前記第一回転部は前記第一支持ケースの収容開口に収納され、前記第二回転部は前記第二支持ケースの収容開口に収納され、前記第一回転部の一端は、前記第一支持ケースの底板に回転可能に装着され、前記第一回転部の他端は回転軸を介して前記第二回転部に回転可能に連接されることを特徴とする請求項６に記載の支持スタンド。
【発明の詳細な説明】
【技術分野】
【０００１】
本発明は、フラット式電子装置に使用される支持スタンドで、特にフラット式電子装置に使用する、多機能を備えた支持スタンドに関するものである。
【背景技術】
【０００２】
電子技術の発展に伴い、現在多くの携帯電話、タブレットパソコン、個人用携帯情報端末（Ｐｅｒｓｏｎａｌ  Ｄｉｇｉｔａｌ  Ａｓｓｉｓｔａｎｔ）等のフラット式電子装置が、タッチパネルを備えている。しかし、片手のみで前記フラット式電子装置のタッチパネルを操作したり、又は長時間映像を見たりする場合は、前記フラット式電子装置を卓上に設置して操作する方が比較的便利である。この時、フラット式電子装置が表示した映像を快適に観賞するために、通常は、専用のスタンドを利用して、前記フラット式電子装置を支持した後、所定の角度に傾斜させる。
【０００３】
しかし、従来のスタンドは、体積が大きいため、携帯に不便であり、紛失し易い。
【発明の概要】
【発明が解決しようとする課題】
【０００４】
以上の問題点に鑑みて、本発明は、フラット式電子装置に使用する、体積が小さく且つ携帯に便利な多機能を備えた支持スタンドを提供することを目的とする。
【課題を解決するための手段】
【０００５】
上記の目的を達成するために、本発明に係る支持スタンドは、フラット式電子装置を支持するために用いられる。前記支持スタンドは、２つの第一支持ケース、２つの第二支持ケース及び伸縮可能な１つの連接手段を備え、前記連接手段の一端は、それぞれ２つの前記第一支持ケース及び２つの前記第二支持ケースに連接され、前記連接手段を延長させて、２つの前記第一支持ケース及び２つの前記第二支持ケースを互いに離間させ、且つ前記第一支持ケース及び前記第二支持ケースを前記フラット式電子装置の異なる部位に係合させることによって、前記フラット式電子装置を支持する。
【発明の効果】
【０００６】
従来の技術と比較して、本発明の支持スタンドは、不使用の際には、組み立てて装飾用ペンダントとして使用できるので、携帯する際に便利であり、紛失しにくい。
【図面の簡単な説明】
【０００７】
【図１】本発明の実施形態に係るフラット式電子装置に用いられる支持スタンドの斜視図である。
【図２】図１に示した支持スタンドを別の視点から見た図である。
【図３】図２に示した支持スタンドの部分的な分解図である。
【図４】図１に示した支持スタンドの部分的な分解図である。
【図５】図４に示した支持スタンドの第一支持ケースの構造を示す拡大図である。
【図６】図４に示した支持スタンドの線捲箱の斜視図である。
【図７】図４に示した支持スタンドの線捲箱の分解図である。
【図８】図２に示した支持スタンドの背面から見たハウジングの拡大図である。
【図９】図１に示した支持スタンドが分解されてフラット式電子装置に装着された場合の斜視図である。
【図１０】本発明の支持スタンドを展開してフラット式電子装置を支持している状態での図である。
【発明を実施するための形態】
【０００８】
図１及び図１０に示したように、本発明の支持スタンド１００は、携帯電話、タブレットパソコン、ＰＤＡ及びデジタル写真のフォトフレーム等のフラット式電子装置２００に用いられる。前記支持スタンド１００は、組み立て及び分解が可能である。前記支持スタンド１００は、分解されている状態である時に、前記フラット式電子装置２００を支持することに用いられる。また、前記支持スタンド１００の支持機能を利用しない場合は、それを組み立てて、首或いはかばん等に提げて、ペンダントとして利用することができる。
【０００９】
図２または図４に示したように、前記支持スタンド１００は、吊り縄１０、ハウジング２０、線捲箱３０及び４つの引張り線４０を備える。前記ハウジング２０は、平面視で矩形状をなしており、２つの第一支持ケース２２及び２つの第二支持ケース２４から構成される。２つの前記第一支持ケース２２同士及び２つの前記第二支持ケース２４同士は、それぞれ平面視で矩形状をなす前記ハウジング２０の中心線に対して線対称となるように配置されている。また、前記第一支持ケース２２と前記第二支持ケース２４とは、平面視で前記中心線に垂直であるもう１つの中心線に対して線対称となるように配置されている。なお、支持スタンド１００は、平面視で円形など、他の形状であってもよい。
【００１０】
図５に示したように、各第一支持ケース２２は、前記ハウジング２０全体の四分の一を占め、且つ包囲部材２２０及び支持部材２２４を備える。前記包囲部材２２０は、底板２２１及び前記底板２２１の外周から突出する周壁２２２を備える。１つの前記底板２２１は、扇形を呈し、且つ２つの直線形側壁２２１ａ及び１つの弧状側壁２２１ｂを備える。前記周壁２２２は、前記底板２２１の弧状側壁２２１ｂから上に向かって延伸してなり、且つ円弧状の側壁２２２２及び前記側壁２２２２の上端から前記底板２２１に平行に延伸するフランジ２２２４を備える。前記周壁２２２の横断面は、逆「Ｌ」字状を呈する。前記側壁２２２２の一端における前記フランジ２２２４に近い箇所には、切欠き２２６が設けられる。前記吊り縄１０は、この前記切欠き２２６を通して前記ハウジング２０の外部へ引き出される。
【００１１】
前記底板２２１における２つの前記直線形側壁２２１ａの交差部位には、弧状面２２７が凹んで形成される。前記弧状面２２７の中央部には、前記引張り線４０を固定するための固定孔２２８が設けられている。また、前記底板２２１には、収容開口２２９が設けられており、前記収容開口２２９の一端は、１つの前記直線形側壁２２１ａを貫通する。前記包囲部材２２０の内表面には、軟質層２２３が設けられる。これにより、前記第一支持ケース２２を前記フラット式電子装置２００の角部に係合する際に、前記フラット式電子装置２００を傷付けることを防止できるだけでなく、前記包囲部材２２０と前記フラット式電子装置２００との間の摩擦力を増加させて、両者が互いにスライドすることを防止することもできる。
【００１２】
前記支持部材２２４は、第一回転部２２４２及び第二回転部２２４４を備える。前記第一回転部２２４２は、前記底板２２１の収容開口２２９と組み合わさって、前記収容開口２２９内に収納される。また、前記第一回転部２２４２の一端は、前記底板２２１に回転可能に装着され、前記第一回転部２２４２の他端は、回転軸を介して前記第二回転部２２４４の一端と回転可能に連接される。
【００１３】
前記第二支持ケース２４の構造と前記第一支持ケース２２の構造とを比較すると、前記第二支持ケース２４には、上記の支持部材２２４が設けられていない。また、前記第二支持ケース２４にも前記第一支持ケース２２に設置されている包囲部材２２０が設置されているが、前記第二支持ケース２４には前記吊り縄１０を貫通させるための切欠き２２６が設けられていない。また、前記第二支持ケース２４の底板２２１には、収容開口２２９が設けられており、前記支持部材２２４の第二回転部２２４４を収納するために用いられる。
【００１４】
図６及び図７に示したように、前記線捲箱３０は、中空であり、且つ中央部に引締め装置３１が設けられた中空部３２を有する。前記線捲箱３０は、階段状を呈し、本体部３３及び突出部３４を備える。前記本体部３３の底部には、前記引張り線４０が出るための孔３３２（図６を参照）が設けられている。前記引張り線４０の一端は、前記引締め装置３１に連接され、前記引張り線４０の他端は、前記第一支持ケース２２或いは前記第二支持ケース２４の固定孔２２８に固定される。前記引締め装置３１は、前記引張り線４０を張るための牽引力を付与し、且つ外力がない場合には、前記引張り線４０をその内部に収容する。
【００１５】
図４に示したように、前記支持スタンド１００を組み立てる場合、まず、４つの前記引張り線４０を前記線捲箱３０の孔３３２から引き出した後、それを２つの前記第一支持ケース２２及び２つの第二支持ケース２４の固定孔２２８にそれぞれ固定させる。前記引締め装置３１の、４つの前記引張り線４０に対する牽引力によって、２つの前記第一支持ケース２２及び２つの前記第二支持ケース２４は、互いに緊密に当接され、且つ各第一支持ケース２２の第二回転部２２４４は、各第二支持ケース２４の収容開口２２９内に収納される。この時、前記第一支持ケース２２及び第二支持ケース２４のフランジ２２２４と前記底板２２１とによって取り囲むことで、収容空間２７が形成される。前記収容空間２７の上方には、開口２８を有する。次に、前記吊り縄１０の２つの自由端をそれぞれ前記第一支持ケース２２の切欠き２２６に貫通させて前記線捲箱３０に固定した後、前記線捲箱３０の本体部３３を前記収容空間２７内に設置して、前記突出部３４を前記開口２８に係合させる。最後に、前記吊り縄１０全体を前記支持スタンド１００の周壁２２２の外側へ引っ張り出す。これにより、前記支持スタンド１００をペンダントとして首或いはかばん等に提げて、携帯することができる。
【００１６】
さらに、本発明の実施形態において、前記線捲箱３０の中空部３２内には、巻取り装置（図示せず）が設けられる。前記吊り縄１０の２つの自由端は、この巻取り装置に連結される。また、前記突出部３４には、押しボタン３４２が設けられる。ユーザーは、前記押しボタン３４２を押すことによって、前記巻取り装置を起動させて前記吊り縄１０を巻き取り、或いは前記巻取り動作を解除する。即ち、前記押しボタン３４２を押すと、前記吊り縄１０を自動的に前記線捲箱３０内に巻き取ることができ、再び前記押しボタン３４２を押すと、前記吊り縄１０を前記ハウジング２０から引き出すことができる。
【００１７】
図８は、前記吊り縄１０が前記線捲箱３０内に巻き取られた後の前記支持スタンド１００の背面図を示している。前記吊り縄１０が前記ハウジング２０内に完全に収納されることを防止するため、前記切欠き２２６の外側には金属片２６（図４を参照）が設けられる。前記吊り縄１０の２つの自由端は、前記金属片２６に設けられた２つの貫通孔を貫通する。これにより、前記吊り縄１０が前記線捲箱３０内に巻き取られても、その一部が前記ハウジング２０から露出することができ、完全に収納されるのを防ぐ。
【００１８】
図９及び図１０に示したように、本発明の支持スタンド１００の支持機能を利用する場合、前記支持スタンド１００を分解してから、２つの前記第一支持ケース２２及び２つの前記第二支持ケース２４をそれぞれ前記フラット式電子装置２００の４つの角部に係合させて、前記線捲箱３０を前記フラット式電子装置２００の中心にセットする。この時、４つの前記引張り線４０は張るため、前記第一／第二支持ケース２２、２４が前記フラット式電子装置２００の角部に強固に係合される。次に、２つの前記第一支持ケース２２の支持部材２２４を解放して卓上に立設させる。これにより、前記フラット式電子装置２００を所定の角度に傾斜できるため、ユーザーは前記フラット式電子装置２００の画面に表示される映像を快適に観賞できると共に、容易に前記フラット式電子装置２００のタッチパネルの入力操作を行うことができる。
【００１９】
また、前記支持スタンド１００を装飾用ペンダントとして、その質感を高めるために、金属材料を用いて前記ハウジング２０を製造する。しかし、前記支持スタンド１００全体の重量を軽減させるためには、前記ハウジング２０及び前記線捲箱３０はプラスチックからなるのが好ましい。この場合、プラスチックからなる前記ハウジング２０の外面に金属粉末を吹き付ける或いは金属層を塗布することによって、前記支持スタンド１００に金属の質感を与えることができる。
【００２０】
また、フラット式電子装置の角部の形状に基づいて、前記第一支持ケース２２の弧状側壁の形状や湾曲度を変更することができる。
【００２１】
また、４つの前記引張り線４０及び前記線捲箱３０は、ゴムひも等の伸縮可能な他の連接手段であっても良い。この連接手段の伸縮によって、２つの前記第一支持ケース２２及び２つの前記第二支持ケース２４が一体に組み立てられて前記ハウジング２０を構成し、又は互いに離間して展開されることで、支持スタンドとして前記フラット式電子装置２００を支持する。
【００２２】
また、実際の必要に応じて、２つの前記第一支持ケース２２及び２つの前記第二支持ケース２４の形状を変更して、前記第一／第二支持ケース２２、２４を前記フラット式電子装置２００の角部以外の縁に係合させることによって、前記フラット式電子装置２００を支持することもできる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０              吊り縄
２０              ハウジング
２２              第一支持ケース
２４              第二支持ケース
２６              金属片
２７              収容空間
２８              開口
３０              線捲箱
３１              引締め装置
３２              中空部
３３              本体部
３４              突出部
４０              引張り線
１００            支持スタンド
２００            フラット式電子装置
２２０            包囲部材
２２１            底板
２２１ａ          直線形側壁
２２１ｂ          弧状側壁
２２２            周壁
２２３            軟質層
２２４            支持部材
２２６            切欠き
２２７            弧状面
２２８            固定孔
２２９            収容開口
３３２            孔
３４２            押しボタン
２２２２          側壁
２２２４          フランジ
２２４２          第一回転部
２２４４          第二回転部
【図１】
2012191179.tif 000003
【図２】
2012191179.tif 000004
【図３】
2012191179.tif 000005
【図４】
2012191179.tif 000006
【図５】
2012191179.tif 000007
【図６】
2012191179.tif 000008
【図７】
2012191179.tif 000009
【図８】
2012191179.tif 000010
【図９】
2012191179.tif 000011
【図１０】
2012191179.tif 000012